(57)【要約】【課題】力率改善を図るとともに、装置の小型化が可能なＬＥＤ点灯装置を提供すること。【解決手段】コイル１３とスイッチ１４とが直列接続され、整流回路３３の出力端子にその両端が接続されるＰＦＣ回路と、コンデンサ１５とダイオード１６が直列接続されてスイッチにその両端が接続され、スイッチが開放状態となった場合にコイルに生じる起電力と整流回路からの電圧の合計電圧によってコンデンサをダイオード経由で充電し、スイッチが短絡状態になった場合にコンデンサに蓄積された電荷をスイッチ１４経由でＬＥＤ４０に供給する蓄電回路と、平滑用コイル１７と平滑用コンデンサ１８が直列接続されてダイオードにその両端が接続され、蓄電回路から出力される電流を平滑化し、平滑用コンデンサの両端電圧をＬＥＤに供給する平滑化回路と、を有する。【選択図】図１
2012084489.tif 000002
【特許請求の範囲】
【請求項１】
交流電力を整流回路により整流して得られる脈流電力によって１または複数のＬＥＤを点灯するＬＥＤ点灯装置において、
コイルとスイッチとが直列接続され、前記整流回路の出力端子にその両端が接続されるＰＦＣ回路と、
コンデンサとダイオードが直列接続されて前記スイッチにその両端が接続され、前記スイッチが開放状態となった場合に前記コイルに生じる起電力と前記整流回路からの電圧の合計電圧によって前記コンデンサを前記ダイオード経由で充電し、前記スイッチが短絡状態になった場合に前記コンデンサに蓄積された電荷を前記スイッチ経由で前記ＬＥＤに供給する蓄電回路と、
平滑用コイルと平滑用コンデンサが直列接続されて前記ダイオードにその両端が接続され、前記蓄電回路から出力される電流を平滑化し、前記平滑用コンデンサの両端電圧を前記ＬＥＤに供給する平滑化回路と、
を有することを特徴とするＬＥＤ点灯装置。
【請求項２】
前記スイッチは、前記ＬＥＤに流れる電流に応じてそのオン時間が制御されることを特徴とする請求項１に記載のＬＥＤ点灯装置。
【請求項３】
前記スイッチは、前記ＬＥＤに流れる電流に応じたＰＷＭ制御またはＦＭ制御に基づいてオンまたはオフされることを特徴とする請求項２に記載のＬＥＤ点灯装置。
【請求項４】
前記スイッチは、前記ＬＥＤに流れる電流が増加して所定の電流値に達すると前記スイッチをオフにし、前記平滑用コイルに流れる電流が減少して略０になると前記スイッチをオンにする電流臨界モード制御によって制御されることを特徴とする請求項１に記載のＬＥＤ点灯装置。
【請求項５】
前記ＰＷＭ制御もしくはＦＭ制御の基準電圧または前記電流臨界モード制御の前記所定の電流値は、前記ＬＥＤの調光の目標値としての調光目標値に応じて設定されることを特徴とする請求項３または４に記載のＬＥＤ点灯装置。
【請求項６】
前記スイッチは、前記平滑用コイルに流れる電流が略０になるタイミングでオンの状態に制御することを特徴とする請求項１乃至３のいずれか１項に記載のＬＥＤ点灯装置。
【請求項７】
前記請求項１乃至６のいずれか１項に記載のＬＥＤ点灯装置と、前記ＬＥＤが筐体内に収容されたことを特徴とするＬＥＤ照明装置。
【発明の詳細な説明】
【技術分野】
【０００１】
本発明は、ＬＥＤ点灯装置およびＬＥＤ照明装置に関するものである。
【背景技術】
【０００２】
特許文献１の図１には、力率改善回路を備えるＬＥＤ点灯装置が開示されている。このＬＥＤ点灯装置では、交流電源からの交流電力を直流電力に変換してＬＥＤに供給するとともに、整流回路から出力される電流波形が電圧波形に相似するように制御することで、力率を改善している。
【先行技術文献】
【特許文献】
【０００３】
【特許文献１】特開２００４−３２７１５２号公報
【発明の概要】
【発明が解決しようとする課題】
【０００４】
特許文献１に記載されている技術では、ＬＥＤに流れる電流が一定になるように出力電圧を制御している。このため、リップルの影響を受けやすいという問題点がある。具体的には、順方向降下電圧（Ｖｆ）が２．７Ｖであり、内部抵抗Ｒが５ΩのＬＥＤを４０個直列接続し、１００ｍＡの電流を通じて点灯する場合、４０個のＬＥＤの順方向降下電圧の総和は１０８Ｖであり、内部抵抗の総和は２００Ωである。このとき、１００ｍＡの電流を通じるためには、１２８Ｖ（＝１０８Ｖ＋１００ｍＡ×２００Ω）の電圧を印加する必要がある。ここで、印加電圧に±５％（１２１．６〜１３４．４Ｖ）のリップルが存在する場合、ＬＥＤに流れる電流は６８ｍＡ（＝（１２１．６Ｖ−１０８Ｖ）／２００Ω）〜１３２ｍＡ（＝（１３４．４Ｖ−１０８Ｖ）／２００Ω）となり、±３２％のリップルを有する結果となってしまう。このため、このようなリップルを防ぐために、容量が大きい電解コンデンサを平滑コンデンサとして用いる必要があり、回路のサイズが大型化するという問題点がある。特に、近年では、ＬＥＤの内部抵抗が減少する傾向にあり、内部抵抗が０．１Ωを下回るものも開発されている。そのようなＬＥＤの場合、電圧変動に対する電流変動が更に大きくなるため、容量が一層大きい電解コンデンサが必要になるという問題点がある。
【０００５】
本発明の目的は、力率改善を図るとともに、装置の小型化が可能なＬＥＤ点灯装置およびＬＥＤ照明装置を提供することにある。
【課題を解決するための手段】
【０００６】
上記課題を解決するための本発明は、交流電力を整流回路により整流して得られる脈流電力によって１または複数のＬＥＤを点灯するＬＥＤ点灯装置において、コイルとスイッチとが直列接続され、前記整流回路の出力端子にその両端が接続されるＰＦＣ回路と、コンデンサとダイオードが直列接続されて前記スイッチにその両端が接続され、前記スイッチが開放状態となった場合に前記コイルに生じる起電力と前記整流回路からの電圧の合計電圧によって前記コンデンサを前記ダイオード経由で充電し、前記スイッチが短絡状態になった場合に前記コンデンサに蓄積された電荷を前記スイッチ経由で前記ＬＥＤに供給する蓄電回路と、平滑用コイルと平滑用コンデンサが直列接続されて前記ダイオードにその両端が接続され、前記蓄電回路から出力される電流を平滑化し、前記平滑用コンデンサの両端電圧を前記ＬＥＤに供給する平滑化回路と、を有することを特徴とする。
このような構成によれば、力率改善を図るとともに、装置の小型化が可能なＬＥＤ点灯装置を提供することができる。
【０００７】
また、他の発明は、上記発明に加えて、前記スイッチは、前記ＬＥＤに流れる電流に応じてそのオン時間が制御されることを特徴とする。
このような構成によれば、ＬＥＤに流れる電流を任意に制御することが可能になる。
【０００８】
また、他の発明は、上記発明に加えて、前記スイッチは、前記ＬＥＤに流れる電流に応じたＰＷＭ制御またはＦＭ制御に基づいてオンまたはオフされることを特徴とする。
このような構成によれば、ＬＥＤに流れる電流を正確に制御することが可能になる。
【０００９】
また、他の発明は、上記発明に加えて、前記スイッチは、前記ＬＥＤに流れる電流が増加して所定の電流値に達すると前記スイッチをオフにし、前記平滑用コイルに流れる電流が減少して略０になると前記スイッチをオンにする電流臨界モード制御によって制御されることを特徴とする。
このような構成によれば、ＬＥＤに流れる電流を正確に制御することが可能になる。
【００１０】
また、他の発明は、上記発明に加えて、前記ＰＷＭ制御もしくはＦＭ制御の基準電圧または前記電流臨界モード制御の前記所定の電流値は、前記ＬＥＤの調光の目標値としての調光目標値に応じて設定されることを特徴とする。
このような構成によれば、調光目標値を調整することにより、ＬＥＤの発光強度を調整することが可能になる。
【００１１】
また、他の発明は、上記発明に加えて、前記スイッチは、前記平滑用コイルに流れる電流が略０になるタイミングでオンの状態に制御することを特徴とする。
このような構成によれば、リカバリ時間が遅いダイオードを使用することが可能になるので、装置の製造コストを低減することができる。
【００１２】
また、本発明は、前述したＬＥＤ点灯装置と、前記ＬＥＤが筐体内に収容されたことを特徴とする。
このような構成によれば、力率改善を図るとともに、装置の小型化が可能なＬＥＤ照明装置を提供することができる。
【図面の簡単な説明】
【００１３】
【図１】本発明の第１実施形態に係るＬＥＤ点灯装置を示すブロック図である。
【図２】図１のトランジスタ１４がオンの場合にＬＥＤ点灯装置に流れる電流を示す図である。
【図３】図１のトランジスタ１４がオフの場合にＬＥＤ点灯装置に流れる電流を示す図である。
【図４】図１のコイル１７に流れる電流の時間的変化を示す図である。
【図５】本発明の第１実施形態に流れる電流と、従来の回路に流れる電流を比較する図である。
【図６】本発明の第２実施形態に係るＬＥＤ点灯装置を示すブロック図である。
【発明を実施するための形態】
【００１４】
以下に本発明の実施の形態を図面に基づいて詳細に説明する。
【００１５】
（Ａ）第１実施形態の構成の説明
図１は、本発明の第１実施形態に係るＬＥＤ（Light Emitting Diode）点灯装置の構成例を示すブロック図である。この図に示すように、ＬＥＤ点灯装置１０は、コンデンサ１１、ダイオード１２、コイル１３、トランジスタ１４、コンデンサ１５、ダイオード１６、コイル１７、コンデンサ１８、抵抗１９、および、ＰＷＭ（Pulse Width Modulation）制御回路２０を主要な構成要素としている。ＬＥＤ点灯装置１０は、交流電源３０から供給され、ダイオードブリッジ３３で整流された脈流電力に基づいて、ＬＥＤ４０を点灯する。なお、以下では、ＬＥＤ点灯装置１０がＬＥＤ４０に１００ｍＡの電流を供給する場合を例に挙げて説明を行う。もちろん、これ以外の値であってもよいことは言うまでもない。
【００１６】
コンデンサ１１は、０．数μＦ程度（例えば、０．１〜０．４７μＦ程度）の容量を有するセラミックコンデンサまたはフィルムコンデンサ等によって構成され、ダイオードブリッジ３３から出力される脈流電力に含まれている高周波成分を減衰させるとともに、交流電源３０に流出するスイッチングノイズを減衰させる。
【００１７】
ダイオード１２は、整流用のダイオードであり、コンデンサ１５からの逆流を防止するためのダイオードである。コイル１３（請求項中の「コイル」に対応）は、ＰＦＣ（Power Factor Correction）用のチョークコイルであり、この例では、例えば、０．５ｍＨ程度の素子値を有するコイルによって構成されている。
【００１８】
トランジスタ１４（請求項中の「スイッチ」に対応）は、例えば、ＭＯＳ−ＦＥＴ（Metal-Oxide Semiconductor Field Effect Transistor）等によって構成され、ＰＷＭ制御回路２０の制御によってオンまたはオフの状態とされる。なお、図１の例では、トランジスタ１４として、ＮチャンネルＭＯＳ−ＦＥＴを用いているがこれ以外の半導体スイッチ（例えば、バイポーラトランジスタ、ＩＧＢＴ等）を用いることも可能である。
【００１９】
コンデンサ１５（請求項中の「コンデンサ」に対応）は、トランジスタ１４がオフの場合には、脈流電圧とコイル１３に生じる起電力の和の電圧によって充電される。また、トランジスタ１４がオンの場合には、蓄積している電荷をＬＥＤ４０に対して放電する。コンデンサ１５は、例えば、十数μＦ〜数十μＦ程度の容量を有し、第１実施形態では、２２μＦの容量を有する電解コンデンサによって構成されている。
【００２０】
ダイオード１６（請求項中の「ダイオード」に対応）は、フリーホイール（Free Wheel）ダイオード（転流ダイオード）であり、トランジスタ１４がオンの場合には、逆バイアス状態となってコンデンサ１５からの放電電流を遮断するとともに、トランジスタ１４がオフの場合には、順バイアス状態となってコイル１３からコンデンサ１５への充電電流を通過させる。
【００２１】
コイル１７（請求項中の「平滑用コイル」に対応）は、平滑用コイルとして機能するとともに、Ｂｕｃｋ型スイッチングレギュレータを構成するいわゆるＢｕｃｋコイルとして機能する。このコイル１７は、トランジスタ１４がオンの状態では、コンデンサ１５から放電される電荷を磁気エネルギとして蓄積し、トランジスタ１４がオフの状態になると、蓄積された磁気エネルギをＬＥＤ４０に対して供給する。なお、この例では、コイル１７は、例えば、２．５ｍＨ程度の素子値を有するコイルを使用している。
【００２２】
コンデンサ１８（請求項中の「平滑用コンデンサ」に対応）は、平滑用コンデンサであり、数μＦ〜数十μＦ（例えば、４．７μＦ〜２２μＦ程度）の容量を有する電解コンデンサによって構成され、コイル１７の出力を平滑化して出力する。抵抗１９は、ＬＥＤ４０に流れる電流を検出するための検出抵抗である。
【００２３】
ＰＷＭ制御回路２０は、ＰＷＭ制御に基づいてトランジスタ１４を一定の周期（スイッチング周波数）で、オンまたはオフの状態に制御する。すなわち、ＰＷＭ制御回路２０は、抵抗１９からの検出電圧Ｖｒを入力し、検出電圧Ｖｒと所定の基準電圧Ｖｒｅｆとを比較し、これらの比較結果に基づいてトランジスタ１４をオンまたはオフの状態にし、ＬＥＤ４０に流れる電流が所定の目標値（例えば、１００ｍＡ）なるように制御する。具体的には、ＬＥＤ４０に流れる電流が目標値よりも少ない場合にはオン時間を長くするように制御を行い、ＬＥＤ４０に流れる電流が目標値よりも多い場合にはオン時間を短くするように制御を行う。一例として、ＰＷＭ制御回路２０は、検出電圧Ｖｒと基準電圧Ｖｒｅｆの差分を誤差として求め、求めた誤差を三角波とコンパレータ等によって比較することにより出力信号であるＰＷＭ信号を得る。なお、ＰＷＭ制御回路２０は、例えば、数十ｋＨｚ〜数ＭＨｚ程度の周波数でトランジスタ１４をスイッチングする。第１実施形態では、ＰＷＭ制御回路２０のスイッチング周波数は、例えば、６０ｋＨｚに設定されている。もちろん、これ以外の周波数でもよいことは言うまでもない。
【００２４】
交流電源３０は、例えば、１００Ｖの電圧を有する商用電源であり、５０Ｈｚまたは６０Ｈｚ程度の周波数を有している。もちろんこれ以外の電圧（例えば、２００Ｖ）および周波数であってもよいことはいうまでもない。なお、交流電源３０からの交流電力は、端子３１，３２を介してダイオードブリッジ３３に供給される。ダイオードブリッジ３３は、４つのダイオード３３ａ〜３３ｄによって構成され、交流電源３０からの交流電力を全波整流して脈流電力を生成し、後段の回路に供給する。
【００２５】
ＬＥＤ４０は、順方向降下電圧が、例えば、３．２Ｖであり、内部抵抗が、例えば、０．１Ωの同一種類のＬＥＤを複数個（例えば、２０個）直列接続して構成されている。なお、直列接続する個数は、例えば、電源電圧や使用目的に応じて選択することができる。
【００２６】
（Ｂ）第１実施形態の動作の説明
図２および図３は、図１に示す第１実施形態の動作を説明するための図であり、図２はトランジスタ１４がオンの状態において回路を流れる電流を示し、図３はトランジスタ１４がオフの状態において回路を流れる電流を示す。なお、これらの図２，３では、簡略化のために、ＰＷＭ制御回路２０を省略するとともに、トランジスタ１４をスイッチとして示してある。
【００２７】
（トランジスタ１４がオンの場合）
ＰＷＭ制御回路２０により、トランジスタ１４がオンの状態に制御されると、図２に示すように、ダイオード１２、コイル１３、および、トランジスタ１４によって形成される閉回路に対して、ダイオードブリッジ３３からの電流Ｉ１（破線で示す電流）が通じる。これにより、コイル１３に対して磁気エネルギが蓄積される。
【００２８】
また、コンデンサ１５には前回の動作によって、図２に示す極性の電荷が蓄積されており、トランジスタ１４がオンの状態になると、ダイオード１６は逆バイアス状態となって遮断状態となる。これにより、コンデンサ１５、トランジスタ１４、抵抗１９、ＬＥＤ４０、および、コイル１７による閉回路が形成され、コンデンサ１５に蓄積されている電荷が電流Ｉ２（破線で示す電流）としてこの閉回路に通じる。この結果、ＬＥＤ４０に電流Ｉ２が通じて点灯されるとともに、コイル１７に磁気エネルギが蓄積される。
【００２９】
（トランジスタ１４がオフの場合）
つぎに、トランジスタ１４がオフの状態に制御されると、ダイオードブリッジ３３からコイル１３に通じる電流が遮断されるため、自己誘導により、電流Ｉ３と同じ向きの起電力がコイル１３に生じる。このとき、ダイオード１６は順バイアス状態となるため、ダイオード１２、コイル１３、コンデンサ１５、および、ダイオード１６による閉回路が形成される。この結果、コンデンサ１５には、ダイオードブリッジ３３からの出力電圧と、コイル１３によって生じた起電力の和の電圧が印加されることから、閉回路には電流Ｉ３が通じ、コンデンサ１５は印加された電圧によって充電される。
【００３０】
また、トランジスタ１４がオンの状態からオフの状態に変化すると、コイル１７に流れる電流Ｉ２（図２参照）が遮断されるため、コイル１７には電流Ｉ２と同じ向きの起電力が生じる。このようにしてコイル１７に生じた起電力は、ダイオード１６、抵抗１９、および、ＬＥＤ４０によって構成される閉回路に通じる電流Ｉ４を生じせしめる。これにより、ＬＤＥ４０に電流が通じ、ＬＥＤ４０が点灯される。
【００３１】
以上の動作は、所定の周期（例えば、数十ｋＨｚ〜数ＭＨｚ）で繰り返される。図４は、コイル１７に流れる電流の時間的変化を示す図である。図１に示す第１実施形態では、コイル１７に流れる電流は、図４（Ｂ）に示すように電流が連続する電流連続型と、図４（Ｃ）に示すように電流が断続する電流断続型の中間である、図４（Ａ）の電流臨界型として動作する。具体的に説明すると、図４（Ａ）の時間ｔ１のタイミングにおいて、トランジスタ１４がオンの状態に制御され、これによりコンデンサ１５に蓄積された電荷がコイル１７を介して放電されるので、時間の経過とともにコイル１７に流れる電流が増加する。そして、時間ｔ２になるとトランジスタ１４がオフの状態に制御される。この結果、コイル１７に蓄積された磁気エネルギが徐々に放出されるので、時間の経過とともにコイル１７に流れる電流が減少する。そして、コイル１７に流れる電流が０になる時間ｔ３において、再度、トランジスタ１４がオンの状態に制御され、時間ｔ１の場合と同様に、コンデンサ１５に蓄積された電荷がコイル１７を介して放電される。このように、コイル１７に流れる電流が０になるタイミングで、トランジスタ１４をオンの状態に制御することにより、電流が流れていない状態でダイオード１６を逆バイアス状態に変化させるため、ダイオード１６としてリカバリ時間（逆回復時間）が遅いダイオード（安価なダイオード）を使用することができるため、装置の製造コストを低減することができる。
【００３２】
ところで、図４（Ａ）に示す電流変化ΔＩは、以下の式（１）で表すことができる。
2012084489.tif 000003
ここで、ＶＬはコイル１７の端子電圧を示し、τはΔＩの変化に要する時間を示し、Ｌはコイル１７のインダクタンス値を示す。ここで、ΔＩとＶＬが略一定とすると、スイッチングの周期に関する値であるτを小さくすると（スイッチング周波数を高くすると）、Ｌを小さくすることができる。つまり、サイズが小さいコイル１７を使用することができる。また、スイッチング周波数が一定の場合には、電流臨界型に設定してΔＩの値を大きくすることで、Ｌの値を小さくすることができる。例えば、リップル値が±１５％の電流連続型（図４（Ｂ）参照）に比較して、電流臨界型（図４（Ａ）参照）では、コイル１７の値を１／７程度（≒０．１５）に小さくすることができることから、コイル１７のサイズを小型化することができる。
【００３３】
以上に説明したように、第１実施形態では、抵抗１９によってＬＥＤ４０に流れる電流を検出し、ＰＷＭ制御によって出力電流を制御するようにしたので、出力電圧を制御する場合に比較して、リップルによる電流変動を抑制することができる。これにより、ＬＥＤ４０として内部抵抗が少ないものを使用した場合であっても（例えば、ＬＥＤ４０として内部抵抗が殆ど０に近いものを使用した場合であっても）、コンデンサ１８として容量が余り大きくないものを使用することができるため、装置を小型化することができる。
【００３４】
また、第１実施形態では、トランジスタ１４がオンの期間とオフの期間の双方において、ＬＥＤ４０に電流が供給される。具体的には、図５（Ａ）に示すように、第１実施形態では、トランジスタ１４がオンの状態の期間（ｔ１〜ｔ２，ｔ３〜ｔ４）と、トランジスタ１４がオフの状態の期間（ｔ２〜ｔ３，ｔ４〜ｔ５）の双方でＬＥＤ４０に電流が流れているが、例えば、従来の１コンバータ電源（例えば、特許文献１の電源）では、トランジスタがオンの状態の期間（ｔ１〜ｔ２，ｔ３〜ｔ４）にＬＥＤに電流は流れず、トランジスタがオフの状態の期間（ｔ２〜ｔ３，ｔ４〜ｔ５）にＬＥＤに電流が流れる。このように、第１実施形態では、トランジスタ１４がオンの期間とオフの期間の双方でＬＥＤ４０に電流が流れるので、ＬＥＤ４０点灯効率を高めることができる。また、平滑用のコンデンサ１８として、容量が余り大きくないコンデンサを使用することができるので、装置のサイズを小型化することができる。
【００３５】
また、以上の第１実施形態では、一定のスイッチング周波数で、トランジスタ１４をオンオフ制御するようにしたので、コイル１３に通じるピーク電流の波形（包絡波形）は、ダイオードブリッジ３３から供給される全波整流波形に相似の波形となる。したがって、コンデンサ１１による平滑を行うことで、交流電源３０からの入力電流波形は、入力電圧波形に相似となるため、力率を略１００％とすることができる。
【００３６】
また、以上の第１実施形態では、力率改善回路と降圧型コンバータ（バックコンバータ）を１つのトランジスタ１４によって構成するようにしたので、トランジスタの個数を減らして回路を簡略化するとともに、トランジスタの制御回路を簡略化することができる。
【００３７】
（Ｃ）第２実施形態の構成の説明
図６は、第２実施形態の構成例を示すブロック図である。この図において、図１と対応する部分には同一の符号を付してあるので、その説明は省略する。第２実施形態では、図１の第１実施形態と比較して、ＰＷＭ制御回路２０がＰＷＭ制御回路２０Ａに置換されるとともに、調光入力回路２１が新たに追加されている。それ以外の構成は、図１の場合と同様である。
【００３８】
ここで、調光入力回路２１は、外部からの調光信号Ｄ（例えば、数ビット程度のデジタル信号）を入力し、調光信号Ｄに応じた制御電圧Ｖｃを生成して出力する。例えば、調光信号Ｄが４ビットの場合には、調光入力回路２１は、０〜１５の範囲の調光信号を入力するので、ＬＥＤ４０に流れる電流が０〜最大電流Ｉｍａｘ（例えば、１００ｍＡ）の範囲で変化させるための制御電圧Ｖｃ（例えば、Ｖｃ１〜Ｖｃ２の範囲で変化する電圧）を生成して出力する。
【００３９】
ＰＷＭ制御回路２０Ａは、調光入力回路２１から供給される制御電圧Ｖｃを基準電圧とし、抵抗１９によって検出される検出電圧Ｖｒと比較し、これらの比較結果に基づいて、トランジスタ１４をＰＷＭ制御に基づいて駆動する。
【００４０】
（Ｄ）第２実施形態の動作の説明
第２実施形態では、基本的な動作は、図１の第１実施形態の場合と同様であるが、調光入力回路２１からの制御電圧ＶｃによってＬＥＤ４０に流れる電流が変化する点が異なっている。すなわち、第２実施形態では、調光入力回路２１が調光信号Ｄに応じた制御電圧Ｖｃを出力し、ＰＷＭ制御回路２０Ａは、制御電圧Ｖｃを基準電圧とし、この基準電圧に応じてＬＥＤ４０に流れる電流を制御する。これにより、調光信号Ｄを変化させることにより、ＬＥＤ４０に流れる電流を変化させ、ＬＥＤ４０の発光強度を変化させることができる。
【００４１】
以上に説明したように、第２実施形態によれば、前述した第１実施形態の場合の効果に加えて、ＬＥＤ４０の発光強度を任意に調整することが可能になる。
【００４２】
（Ｅ）変形実施形態
以上に示す実施形態は一例であって、これ以外にも種々の変形実施形態が存在することはいうまでもない。例えば、以上の各実施形態におけるダイオード１２については、除外するようにしてもよい。すなわち、実験によると、回路の状態によってはダイオード１２を除外しても動作することが確認されている。
【００４３】
また、以上に示した回路を構成する素子の素子値については、一例であって、このような場合のみに限定されるものではなく、例えば、ＬＥＤ４０の内部抵抗、スイッチング周波数、交流電源３０の電圧等に応じて、任意に設定することが可能である。
【００４４】
また、以上に示す各実施形態では、回路構成のみを示したが、例えば、ダイオードブリッジ３３、ＬＥＤ点灯装置１０、および、ＬＥＤ４０を筐体内に収容したＬＥＤ照明装置として構成することも可能である。具体的には、電球型の形状または蛍光灯の形状を有する筐体にダイオードブリッジ３３、ＬＥＤ点灯装置１０、および、ＬＥＤ４０を収容してＬＥＤ照明装置とすることも可能である。なお、図６に示す調光入力回路２１については、同一の筐体内に収容しても、他の筐体内に収容してもよい。
【００４５】
また、以上の各実施形態では、図４（Ａ）に示す電流臨界型として動作させるようにしたが、図４（Ｂ）に示す電流連続型として動作させたり、図４（Ｃ）に示す電流断続型として動作させたりしてもよい。
【００４６】
また、以上の各実施形態では、ＰＷＭ制御によってＬＥＤ４０に流れる電流を制御するようにしたが、オフデューティを一定にし、フィードバック制御によってオンデューティを変化させるスイッチング動作させるようにしてもよい。
【００４７】
また、以上の各実施形態では、ＰＷＭ制御に基づいてトランジスタ１４をスイッチングするようにしたが、例えば、トランジスタ１４のオフ時間を一定とし、オン時間のみを可変するＦＭ（Frequency Modulation）制御に基づいてスイッチングするようにしてもよい。第１実施形態にＦＭ制御を適用する場合、検出電圧Ｖｒと基準電圧を比較し、比較結果に基づいてトランジスタ１４のオン時間を制御すればよい。また、第２実施形態の場合は、制御電圧Ｖｃを基準電圧として検出電圧Ｖｒと比較し、これらの比較結果に基づいて、トランジスタ１４のオン時間を制御すればよい。なお、ＦＭ制御の場合であっても、前述した電流連続型、電流断続型、および、電流臨界型として制御可能であることはいうまでもない。
【００４８】
あるいは、ＰＷＭ制御に代えて、ＬＥＤ４０に流れる電流値が予め指定された所定の電流値（ピーク電流値）に達した場合にトランジスタ１４をオフにし、コイル１７に流れる電流が減少して、略０になった場合にトランジスタ１４をオンする、電流臨界モード制御に基づいてスイッチングするようにしてもよい。なお、第１実施形態に電流臨界モード制御を適用する場合、検出電圧Ｖｒと基準電圧を比較し、比較結果に基づいてピーク電流値を制御すればよい。また、第２実施形態の場合は、調光入力回路２１から供給される制御電圧Ｖｃを基準電圧とし、抵抗１９によって検出される検出電圧Ｖｒと比較し、これらの比較結果に基づいて、ピーク電流値を制御するようにすればよい。
【００４９】
また、以上の実施形態では、商用電源を全波整流して用いるようにしたが、半波整流して用いるようにしてもよい。
【符号の説明】
【００５０】
１０  ＬＥＤ点灯装置
１１  コンデンサ
１２  ダイオード
１３  コイル
１４  トランジスタ
１５  コンデンサ
１６  ダイオード
１７  コイル
１８  コンデンサ
１９  抵抗
２０  ＰＷＭ制御回路
２１  調光入力回路
３０  交流電源
３１，３２  端子
３３  ダイオードブリッジ
【図１】
2012084489.tif 000004
【図２】
2012084489.tif 000005
【図３】
2012084489.tif 000006
【図４】
2012084489.tif 000007
【図５】
2012084489.tif 000008
【図６】
2012084489.tif 000009